(57)【要約】【課題】リテーナが本係止位置に不用意に移動するのを防止する。【解決手段】コネクタは、キャビティ１３を有するハウジング本体１１と、ハウジング本体１１に対し仮係止位置と本係止位置とに移動可能なリテーナ６０とを備える。ハウジング本体１１は、リテーナ６０の移動方向に並んで配置される仮係止孔２１及び本係止孔２２を有する。リテーナ６０は、撓み変形可能な係止本体６５と、係止本体６５から突出し、仮係止位置及び本係止位置においてそれぞれ仮係止孔２１及び本係止孔２２に対し外側から挿入して配置され、仮係止位置において端子金具９０と干渉する位置に突出方向の先端部が臨む係止突起６６とを有する。【選択図】図１
2017130371.tif 000002
【特許請求の範囲】
【請求項１】
端子金具が挿入されるキャビティを有するハウジング本体と、
前記ハウジング本体に対し仮係止位置と本係止位置との間を移動可能に配置され、前記本係止位置において前記端子金具を抜け止め可能に係止するリテーナとを備え、
前記ハウジング本体は、前記キャビティの内面から前記ハウジング本体の外面にかけて貫通し、前記リテーナの移動方向に並んで配置される仮係止孔及び本係止孔を有し、
前記リテーナは、
前記仮係止孔及び本係止孔の貫通方向に撓み変形可能な係止本体と、
前記係止本体から突出し、前記仮係止位置及び前記本係止位置においてそれぞれ前記仮係止孔及び前記本係止孔に対し外側から挿入して配置され、前記仮係止位置において前記キャビティに正規挿入された前記端子金具と干渉する位置に突出方向の先端部が臨む係止突起と、を有していることを特徴とするコネクタ。
【請求項２】
前記係止突起の突出方向の先端部が、前記本係止位置において前記キャビティに正規挿入された前記端子金具を抜け止め可能に配置される請求項１記載のコネクタ。
【請求項３】
前記端子金具が、正規の挿入姿勢をとるときには前記キャビティへの挿入動作を案内し、正規とは逆向きの挿入姿勢をとるときには前記キャビティへの挿入動作を規制するスタビライザを有し、前記係止突起の突出方向の先端部が、前記本係止位置において前記スタビライザを抜け止め可能に配置される請求項２記載のコネクタ。
【請求項４】
前記ハウジング本体が、前記仮係止孔及び前記本係止孔を有する前記キャビティを複数有し、前記リテーナが、複数の前記キャビティのそれぞれに対応して前記係止本体及び前記係止突起を有している請求項１ないし３のいずれか１項記載のコネクタ。
【請求項５】
前記仮係止孔の内面のうち、前記リテーナの前記本係止位置への移動方向に対向する側で、且つ前記キャビティの内面寄りの部位に、前記貫通方向に沿って配置される移動規制部を有し、
前記仮係止孔の内面のうち、前記リテーナの前記本係止位置への移動方向に対向する側で、且つ前記ハウジング本体の外面寄りの部位に、外側へ向けて前記本係止位置への移動方向に傾斜する案内部を有している請求項１ないし４のいずれか１項記載のコネクタ。
【発明の詳細な説明】
【技術分野】
【０００１】
本発明は、コネクタに関する。
【背景技術】
【０００２】
特許文献１に開示されたコネクタは、端子金具を収容可能なキャビティを有するハウジングと、ハウジングに対し仮係止位置と本係止位置とに移動可能に配置され、本係止位置において端子金具を抜け止め可能に係止するフロントリテーナ（以下、リテーナ）とを備えている。リテーナは、前面壁から後方に突出する撓み変形可能な係止アームと、係止アームの先端部から外側に突出する係止受け部とを有している。ハウジングは、上面壁と下面壁のそれぞれに、前後方向に間隔をあけて仮係止部と共用係止部とを有している。
【０００３】
リテーナが仮係止位置に配置されると、係止受け部が仮係止部に係止され、リテーナのハウジングからの抜け出しが規制される。仮係止位置では、前面壁がハウジングの前面から前方に離間して配置される。続いて、前面壁が前方から押圧され、リテーナが仮係止位置から本係止位置へ向けて移動させられる。移動中は、係止受け部が共用係止部と干渉して係止アームが撓み変形させられる。リテーナが本係止位置に至ると、係止アームが弾性復帰して係止受け部が共用係止部に係止され、リテーナの仮係止位置への戻り移動が規制される。
【先行技術文献】
【特許文献】
【０００４】
【特許文献１】特開２００８−１６２６１号公報
【発明の概要】
【発明が解決しようとする課題】
【０００５】
ところで、前面壁に前方から予期せぬ外力が作用すると、係止受け部と仮係止部との係止が外れ、リテーナが本係止位置に不用意に落ち込むことがあった。
【０００６】
本発明は上記のような事情に基づいて完成されたものであって、リテーナが本係止位置に不用意に移動するのを防止することを目的とする。
【課題を解決するための手段】
【０００７】
本発明のコネクタは、端子金具が挿入されるキャビティを有するハウジング本体と、前記ハウジング本体に対し仮係止位置と本係止位置との間を移動可能に配置され、前記本係止位置において前記端子金具を抜け止め可能に係止するリテーナとを備え、前記ハウジング本体は、前記キャビティの内面から前記ハウジング本体の外面にかけて貫通し、前記リテーナの移動方向に並んで配置される仮係止孔及び本係止孔を有し、前記リテーナは、前記仮係止孔及び本係止孔の貫通方向に撓み変形可能な係止本体と、前記係止本体から突出し、前記仮係止位置及び前記本係止位置においてそれぞれ前記仮係止孔及び前記本係止孔に対し外側から挿入して配置され、前記仮係止位置において前記キャビティに正規挿入された前記端子金具と干渉する位置に突出方向の先端部が臨む係止突起と、を有しているところに特徴を有する。
【発明の効果】
【０００８】
リテーナが仮係止位置にあるときに、係止突起の突出方向の先端部がキャビティに正規挿入された端子金具と干渉する位置に臨むように、係止突起が仮係止孔を貫通するため、係止突起が仮係止孔に対し十分な係止代をもって係止可能な状態になる。その結果、係止突起が仮係止孔から外れにくくなり、リテーナが不用意に本係止位置に移動するのを防止することができる。
【０００９】
一方、係止突起の突出方向の先端部がキャビティに正規挿入された端子金具と干渉することにより、係止本体が外側に撓み変形させられ、リテーナが本係止位置に移動可能な状態になる。このため、リテーナを本係止位置に至らす際に、過大な操作力が必要とされず、作業負担が軽減される。
【図面の簡単な説明】
【００１０】
【図１】本発明の実施例１に係るコネクタにおいて、リテーナがハウジングに対して仮係止位置に保持された状態を示す側面視方向の断面図である。
【図２】さらに、端子金具がキャビティに正規挿入され、リテーナが本係止位置に移動可能となった状態を示す側面視方向の断面図である。
【図３】リテーナがハウジングに対して本係止位置に保持された状態を示す側面視方向の断面図である。
【図４】コネクタの正面図である。
【図５】ハウジング本体の平面視方向の断面図である。
【図６】リテーナの背面図である。
【図７】リテーナの側面視方向の断面図である。
【発明を実施するための形態】
【００１１】
本発明の好ましい実施形態を以下に示す。  
前記係止突起の突出方向の先端部が、前記本係止位置において前記キャビティに正規挿入された前記端子金具を抜け止め可能に配置される。これによれば、端子金具を抜け止めするための専用の抜け止め構造が必要とされず、リテーナの構成が複雑になるのを回避することができる。
【００１２】
前記端子金具が、正規の挿入姿勢をとるときには前記キャビティへの挿入動作を案内し、正規とは逆向きの挿入姿勢をとるときには前記キャビティへの挿入動作を規制するスタビライザを有し、前記係止突起の突出方向の先端部が、前記本係止位置において前記スタビライザを抜け止め可能に配置される。これによれば、スタビライザを利用して端子金具の抜け止めを行うことができるため、係止突起に係止される専用の係止構造が必要とされず、端子金具の構成が複雑になるのを回避することができる。
【００１３】
前記ハウジング本体が、前記仮係止孔及び前記本係止孔を有する前記キャビティを複数有し、前記リテーナが、複数の前記キャビティのそれぞれに対応して前記係止本体及び前記係止突起を有している。これによれば、全てのキャビティに端子金具が正規挿入されない限り、係止突起が仮係止孔に係止可能な状態が維持され、リテーナが本係止位置に移動可能な状態にならないため、各キャビティに対する端子金具の挿入し忘れを防止することができる。
【００１４】
前記仮係止孔の内面のうち、前記リテーナの前記本係止位置への移動方向に対向する側で、且つ前記キャビティの内面寄りの部位に、前記貫通方向に沿って配置される移動規制部を有し、前記仮係止孔の内面のうち、前記リテーナの前記本係止位置への移動方向に対向する側で、且つ前記ハウジング本体の外面寄りの部位に、外側へ向けて前記本係止位置への移動方向に傾斜する案内部を有している。これによれば、移動規制部によってリテーナの本係止位置への移動を規制する保持力を得ることができ、案内部によってリテーナの本係止位置への移動を円滑に行うことができる。
【００１５】
＜実施例１＞
以下、実施例１を図面に基づいて説明する。本実施例１のコネクタは、ハウジング１０と、ハウジング１０に対して仮係止位置と本係止位置との間を移動可能に配置されるリテーナ６０とを備えている。ハウジング１０は図示しない相手ハウジングに嵌合可能とされている。なお、以下の説明において、前後方向については、嵌合開始時に相手ハウジングと向き合う面側となる図１〜図３の右側を前側とする。上下方向は、図５を除く各図を基準とする。
【００１６】
ハウジング１０は合成樹脂製であって、図５に示すように、ハウジング本体１１と、ハウジング本体１１の外周を取り囲む嵌合筒部１２とを備えている。ハウジング本体１１と嵌合筒部１２との間に、図示しない相手ハウジングのフードが嵌合可能とされている。ハウジング本体１１は、前後方向に貫通する複数（図示する場合は２つ）のキャビティ１３を有している。キャビティ１３には、後方から端子金具９０が挿入される。また、キャビティ１３は、前部の内面下壁の左右中央部に、前後方向に延出する案内溝１４を有している。
【００１７】
端子金具９０は導電金属製であって、図２及び図３に示すように、オープンバレル状のバレル部９１と、バレル部９１の前方に位置する略角筒状の接続部９２とを有している。バレル部９１は、電線１００の端末部において被覆１０１の除去により露出する芯線１０２に圧着して接続されるとともに、電線１００の端末部の被覆１０１に外嵌されたゴム栓１１０に圧着して接続される。接続部９２は、内側に相手ハウジングに装着された図示しない相手端子金具の雄タブが挿入されて接続される。
【００１８】
接続部９２には、スタビライザ９３が外側に突出して設けられている。スタビライザ９３は、接続部９２の下壁を下向きに膨出させてなり、前面に、突出端へ向けて後傾する傾斜面９４を有し、後面に、上下方向に沿った垂直面９５を有している。端子金具９０が正規の姿勢をとってキャビティ１３に挿入されると、案内溝１４にスタビライザ９３が嵌合して挿入され、キャビティ１３に対する端子金具９０の挿入案内がなされる。一方、端子金具９０が上下反転などした不正な姿勢をとっていると、スタビライザ９３が後述するシール孔部１５の前端部に当接し、キャビティ１３に対する端子金具９０の挿入が規制される。したがって、端子金具９０が不正姿勢の状態でキャビティ１３に挿入される事態を回避することができる。
【００１９】
図２及び図５に示すように、ハウジング本体１１におけるキャビティ１３の後部は、断面円形のシール孔部１５になっている。シール孔部１５は、キャビティ１３の前部よりも大径とされ、端子金具９０がキャビティ１３に正規挿入されたときに、内周面にゴム栓１１０が弾性的に密着して配置されるようになっている。シール孔部１５の前端部は、キャビティ１３の前部へ向けて次第に縮径するテーパ面１６とされている。なお、案内溝１４は、後端がテーパ面１６に開口し、前端がキャビティ１３の前端寄りの位置で閉止して配置されている。
【００２０】
図５に示すように、ハウジング本体１１は、各キャビティ１３と対応するタワー部１７を有している。タワー部１７は、各キャビティ１３の前部を包囲して前方に突出する形態とされ、横並びに対をなして配置されている。各タワー部１７の前面におけるキャビティ１３の開口縁部には、前方へ向けて拡開するテーパ状の誘い込み面１８が設けられている。相手端子金具の雄タブは誘い込み面１８により誘い込まれてキャビティ１３に進入する。
【００２１】
図２に示すように、各タワー部１７のキャビティ１３は、内面上壁に、前方へ片持ち状に突出するランス１９を有している。ランス１９は、端子金具９０がキャビティ１３に正規挿入されたときに、前端部が接続部９２の上壁に設けられたランス受部９６に進入して係止され、端子金具９０がキャビティ１３に一次的に抜け止めされた状態になる。なお、ランス１９は、リテーナ６０が配置される前の状態で、タワー部１７の上面に露出している。
【００２２】
図１及び図５に示すように、また、各タワー部１７におけるキャビティ１３の前部は、案内溝１４の溝底面に、仮係止孔２１と本係止孔２２とが開口している。  
仮係止孔２１は、タワー部１７の下壁部分を上下方向に貫通し、上端が案内溝１４の底面に開口し、下端がタワー部１７の外面に開口している。仮係止孔２１の前側内面は、上下方向に沿って切り立つように配置され、案内溝１４の前端を閉止している。図１に示すように、仮係止孔２１の後側内面は、キャビティ１３の内面寄りの上端部に、上下方向に沿って切り立つように配置される移動規制部２３を有し、タワー部１７の外面寄りの下部となる移動規制部２３を除く部分に、下方へ行くに従って次第に後退するように傾斜するテーパ状の案内部２４を有している。案内部２４の上下長さは、移動規制部２３の上下長さよりも長くなっている。
【００２３】
本係止孔２２は、仮係止孔２１の後方において仮係止孔２１と前後に並んで配置されている。本係止孔２２は、タワー部１７の下壁部分を上下方向に貫通し、上端が案内溝１４の底面に開口し、下端がタワー部１７の外面に開口している。本係止孔２２の前側内面及び後側内面は、いずれも上下方向に沿って切り立つように配置されている。
【００２４】
なお、図５に示すように、各タワー部１７の前部は、嵌合筒部１２の前端よりも前方に配置されている。仮係止孔２１及び本係止孔２２は、タワー部１７の前部の下面（外面）に開口し、リテーナ６０が配置される前の状態で、嵌合筒部１２の前方において外部に露出している。
【００２５】
図１に示すように、ハウジング本体１１は、後部下面から突出するロックアーム２５を有している。ロックアーム２５は、前後方向に延出するアーム本体２６を有し、アーム本体２６が上下にシーソ状に撓み変形可能とされている。アーム本体２６が図示しない相手ハウジングのロック受け部を弾性的に係止することにより、両ハウジングが嵌合状態に保持される。嵌合筒部１２の下壁部分は、前端部を残して開放されており、開放された空間部分を通してロックアーム２５を目視により確認することが可能となっている。また、ハウジング本体１１の外周面には、ロックアーム２５の根元部分の前方に、シールリング１３０が嵌着されている。シールリング１３０は、相手ハウジングのフードとハウジング本体１１との間に弾性的に挟持され、両ハウジングをシールする役割を有する。
【００２６】
続いてリテーナ６０について説明する。リテーナ６０は合成樹脂製であって、図６及び図７に示すように、キャップ状をなし、ハウジング本体１１の前部に外嵌される。リテーナ６０は、ハウジング本体１１の前面を覆う前壁部６１と、前壁部６１の外周から後方に突出し、ハウジング本体１１の前部の外周を覆う筒状の周壁部６２とを有している。仮係止位置では、図１及び図２に示すように、前壁部６１がハウジング本体１１の前端よりも前方に離間して配置され、本係止位置では、図３に示すように、前壁部６１がハウジング本体１１の前端に重なるように当接して配置される。
【００２７】
図６に示すように、周壁部６２は、断面略楕円形をなし、全周に亘って切れ目なく連続する形態になっている。図３に示すように、本係止位置では、周壁部６２の後端にシールリング１３０が当接可能に配置され、シールリング１３０の前方への抜け出しが規制される。なお、周壁部６２は、ロック構造などの特別な形状部分を有していない。
【００２８】
図６に示すように、前壁部６１は、前後に貫通する左右一対の嵌合孔６３を有している。嵌合孔６３の内側には、本係止位置において各タワー部１７が個別に嵌合して配置される。前壁部６１の後面における各嵌合孔６３の下縁部の左右中央部には、一対の係止部６４が後方に突出して設けられている。
【００２９】
図１〜図３に示すように、係止部６４は、前壁部６１の後面から後方へ細長く延出する係止本体６５と、係止本体６５の後端部から上方に突出する係止突起６６とからなる。係止本体６５は、断面略方形をなし、前壁部６１の後面に連なる基端側を支点として上下方向に撓み変形可能とされている。
【００３０】
係止突起６６は、全体として上方に直立する形態とされ、嵌合孔６３を通して前方から目視により確認することが可能となっている。係止突起６６の前面は、上下方向に沿って切り立つように配置されている。図１に示すように、係止突起６６の後面は、突出方向の先端部に、上端へ向けて次第に前傾するテーパ状の当接面６７を有し、当接面６７を除く部分に、上下方向に沿って切り立つように配置される保持面６８を有している。
【００３１】
係止突起６６は、図１に示すように、仮係止位置において仮係止孔２１に嵌合して挿入され、図３に示すように、本係止位置において本係止孔２２に嵌合して挿入される。係止突起６６の突出寸法は、仮係止孔２１及び本係止孔２２のそれぞれの深さ寸法を超えている。このため、係止突起６６の突出方向の先端部は、仮係止孔２１及び本係止孔２２に挿入された状態で、キャビティ１３の案内溝１４に突入して配置されるようになっている。
【００３２】
次に、リテーナ６０がハウジング本体１１に対して仮係止位置と本係止位置とに保持される保持構造と仮係止位置から本係止位置へと移動する移動機構について説明する。
【００３３】
組み付けに際し、ハウジング本体１１に対し前方からリテーナ６０が組み付けられ、仮係止位置に留め置かれる。仮係止位置に至る過程では、係止突起６６がタワー部１７の前部の下面を摺動し、係止本体６５が下向きに撓み変形させられる。仮係止位置に至ると、係止本体６５が弾性復帰し、係止突起６６が仮係止孔２１に下方から挿入される。これにより、仮係止孔２１の移動規制部２３に係止突起６６の保持面６８が対面して当接可能に配置され、リテーナ６０の本係止位置への移動が規制される（図１を参照）。また、仮係止孔２１の前側内面に係止突起６６の後面が対面して当接可能に配置され、リテーナ６０の抜け出しが規制される。さらに、仮係止位置では、係止突起６６の突出方向の先端部がキャビティ１３の案内溝１４に進入し、当接面６７が案内溝１４内で後方を向いて配置される。このように、仮係止位置においては、係止突起６６が仮係止孔２１を貫通方向の全長に亘って貫通し、仮係止孔２１の移動規制部２３の全長に亘って係止突起６６の保持面６８が当接可能とされ、仮係止孔２１の前側内面の全長に亘って係止突起６６の後面が当接可能とされるため、係止突起６６が仮係止孔２１に強固に保持される。
【００３４】
上記によってリテーナ６０が仮係止位置に保持された状態で、ハウジング本体１１のキャビティ１３に後方から端子金具９０が挿入される。端子金具９０の挿入過程では、キャビティ１３の案内溝１４にスタビライザ９３が進入して端子金具９０の挿入案内がなされる。端子金具９０がキャビティ１３に正規挿入されると、スタビライザ９３の傾斜面９４が係止突起６６の当接面６７と当接し、係止突起６６が押圧されて、係止本体６５が下向きに撓み変形させられる（図２を参照）。これにより、係止突起６６が傾倒して、係止突起６６の保持面６８が仮係止孔２１の移動規制部２３から離間する方向に変位し、リテーナ６０が本係止位置に移動可能な状態になる。また、端子金具９０は、キャビティ１３に正規挿入されるに伴いランス１９によって一次的に抜け止めされる。
【００３５】
続いで、リテーナ６０の前壁部６１が前方から手指などで押圧される。これにより、リテーナ６０が本係止位置へ向けて後退する。リテーナ６０の本係止位置への移動開始時には、係止突起６６の当接面６７が仮係止孔２１の案内部２４を摺動し、係止本体６５がさらに下向きに円滑に撓み変形させられる。また、リテーナ６０が本係止位置へ向けて移動する過程では、係止突起６６の突出端がタワー部１７の下面を摺動し、係止本体６５の撓み状態が維持される。
【００３６】
リテーナ６０が本係止位置に至ると、係止本体６５が弾性復帰し、係止突起６６が本係止孔２２に下方から挿入される（図３を参照）。これにより、係止突起６６の保持面６８及び後面がそれぞれ本係止孔２２の前側内面及び後側内面に対面して当接可能に配置され、リテーナ６０が本係止位置に前後方向への移動を規制された状態に保持される。また、本係止位置では、係止突起６６の突出方向の先端部がキャビティ１３の案内溝１４に進入し、係止突起６６の後面上部がスタビライザ９３の垂直面９５に後方から対面して係止可能に配置され、端子金具９０がキャビティ１３に二次的に抜け止めされる。さらに、本係止位置においては、係止突起６６が本係止孔２２を深さ方向の全長に亘って貫通し、本係止孔２２の後側内面の全長に亘って保持面６８が当接可能とされ、本係止孔２２の前側内面の全長に亘って係止突起６６の後面が当接可能とされるため、係止突起６６が本係止孔２２に強固に保持される。
【００３７】
以上説明したように、本実施例１によれば、リテーナ６０が仮係止位置にあるときに、係止突起６６の突出方向の先端部がキャビティ１３に正規挿入された端子金具９０と干渉する位置に臨むように、係止突起６６が仮係止孔２１を深さ方向の全長に亘って貫通するため、係止突起６６が仮係止孔２１に対し十分な係止代をもって係止可能な状態になる。その結果、係止突起６６が仮係止孔２１から外れにくくなり、リテーナ６０が不用意に本係止位置に移動するのを防止することができる。
【００３８】
一方、係止突起６６の突出方向の先端部がキャビティ１３に正規挿入された端子金具９０と干渉することにより、係止本体６５が下側（外側）に撓み変形させられ、リテーナ６０が本係止位置に移動可能な状態になる。このため、リテーナ６０を本係止位置に至らす際に、過大な操作力が必要とされず、作業負担が軽減される。また、係止突起６６の突出方向の先端部が本係止位置において端子金具９０に抜け方向で対向して係止可能となることにより、端子金具９０を抜け止めするための専用の抜け止め構造が必要とされず、リテーナ６０の構成が複雑になるのを回避することができる。
【００３９】
さらに、端子金具９０のスタビライザ９３を利用して端子金具９０の抜け止めを行うことができるため、係止突起６６に係止される専用の係止構造が必要とされず、端子金具９０の構成が複雑になるのを回避することができる。
【００４０】
さらに、ハウジング本体１１が、仮係止孔２１及び本係止孔２２を有するキャビティ１３を複数有し、リテーナ６０が複数のキャビティ１３のそれぞれに対応して係止本体６５及び係止突起６６を有しているため、全てのキャビティ１３に端子金具９０が正規挿入されない限り、リテーナ６０が本係止位置に移動可能な状態にならず、各キャビティ１３に対する端子金具９０の挿入し忘れを防止することができる。
【００４１】
さらにまた、仮係止孔２１の内面のうち、リテーナ６０の本係止位置への移動方向に対向する側で、且つキャビティ１３の内面寄りの部位となる後側上端部に、上下方向に沿って配置される移動規制部２３を有し、仮係止孔２１の内面のうち、リテーナ６０の本係止位置への移動方向に対向する側で、且つハウジング本体１１の外面寄りの部位となる後側下端部に、下側（外側）へ向けて後方（リテーナ６０の本係止位置への移動方向）に傾斜する案内部２４を有しているため、移動規制部２３によってリテーナ６０の本係止位置への移動を規制する保持力を得ることができ、案内部２４によってリテーナ６０の本係止位置への移動を円滑に行うことができる。
【００４２】
＜他の実施例＞
以下、他の実施例を簡単に説明する。  
（１）係止突起の突出方向の先端部が端子金具のスタビライザ以外の部分に干渉することで、リテーナの本係止位置への移動が可能となる構成であってもよい。  
（２）本係止位置においては、係止突起が端子金具を係止しない構成であってもよい。この場合に、リテーナには、係止突起とは別に、端子金具を係止可能な専用の係止構造が設けられているとよい。  
（３）仮係止孔及び本係止孔は、ハウジング本体（タワー部）の外面の上方又は側方に開口する形態であってもよい。この場合に、係止突起は、上方又は側方に開口する仮係止孔及び本係止孔と対応するように、係止本体から下方又は側方に突出する形態であればよい。  
（４）係止突起は、係止本体の長さ方向途中から突出する形態であってもよい。  
（５）リテーナは、ハウジング本体に対し側方から組み付けられ、仮係止位置から本係止位置に向けて側方に移動するサイドタイプの構造であってもよい。この場合、ハウジング本体は、キャビティの内面側壁に、仮係止孔と本係止孔とが並んで配置されているとよい。
【符号の説明】
【００４３】
１０…ハウジング
１１…ハウジング本体
１３…キャビティ
１４…案内溝
２１…仮係止孔
２２…本係止孔
２３…移動規制部
２４…案内部
６０…リテーナ
６４…係止部
６５…係止本体
６６…係止突起
９０…端子金具
９３…スタビライザ
１００…電線 
【図１】
2017130371.tif 000003
【図２】
2017130371.tif 000004
【図３】
2017130371.tif 000005
【図４】
2017130371.tif 000006
【図５】
2017130371.tif 000007
【図６】
2017130371.tif 000008
【図７】
2017130371.tif 000009